(57)【要約】【課題】パーマネントウエーブ処理による毛髪の損傷が少なく、毛髪に強力なウェーブを付与でき、しかも容易に行い得るパーマネントウエーブ処理方法を提供する。【解決手段】通電により加熱可能なロッドを用い、毛髪にウェーブを付与するために次の（１）〜（４）の工程を経由することを特徴とする毛髪のパーマネントウエーブ処理方法。（１）毛髪に還元剤を含有するパーマネントウエーブ用第１剤を塗布し、５〜２０分間放置して毛髪を充分に軟化させた後、水洗する工程、（２）水洗後の毛髪の水分を軽く拭き取り、上記毛髪を通電により加熱可能なロッドに巻き付ける工程、（３）上記毛髪を巻き付けたロッドに通電してロッドを加熱し、８０〜１４０℃で１〜３０分間放置する工程、（４）上記毛髪またはロッドから外した毛髪に酸化剤を含有する液状のパーマネントウエーブ用第２剤を塗布し、１〜１５分間放置した後、水洗し、乾燥する工程【選択図】    なし【特許請求の範囲】
【請求項１】
通電により加熱可能なロッドを用い、毛髪にウェーブを付与するために下記（１）〜（４）の工程を経由することを特徴とする毛髪のパーマネントウエーブ処理方法。
（１）毛髪に還元剤を含有するパーマネントウエーブ用第１剤を塗布し、５〜２０分間放置して毛髪を充分に軟化させた後、水洗する工程
（２）水洗後の毛髪の水分を軽く拭き取り、上記毛髪を通電により加熱可能なロッドに巻き付ける工程
（３）上記毛髪を巻き付けたロッドに通電してロッドを加熱し、８０〜１４０℃で１〜３０分間放置する工程
（４）上記ロッドに巻き付けた毛髪または上記ロッドから外した毛髪に酸化剤を含有する液状のパーマネントウエーブ用第２剤を塗布し、１〜１５分間放置した後、水洗し、乾燥する工程
【請求項２】
パーマネントウエーブ用第１剤が、還元剤を２〜１１質量％含有し、カチオン性界面活性剤を０．１〜１５質量％含有し、かつｐＨが７〜１２に調整されていることを特徴とする請求項１記載の毛髪のパーマネントウエーブ処理方法。
【請求項３】
パーマネントウエーブ用第２剤が、酸化剤を１〜２０質量％含有することを特徴とする請求項１記載の毛髪のパーマネントウエーブ処理方法。
【請求項４】
パーマネントウエーブ用第２剤の粘度が、２５℃で１，０００ｍＰａ．ｓ以下であることを特徴とする請求項１記載の毛髪のパーマネントウエーブ処理方法。
【発明の詳細な説明】
【０００１】
【発明の属する技術分野】
本発明は、毛髪のパーマネントウエーブ処理方法に関し、さらに詳しくは、通電により加熱可能なロッドを用いた毛髪のパーマネントウエーブ処理方法に関する。
【０００２】
【従来の技術】
毛髪のパーマネントウエーブ処理は、例えば、毛髪にロッドを巻き付けて引っ張った状態にし、その状態の毛髪に還元剤を含有するパーマネントウエーブ用第１剤を塗布して、毛髪の構成タンパク（蛋白）であるケラチンのジスルフィド結合を上記還元剤で還元開裂してメルカプト基を生成させて毛髪を軟化させ、ついで酸化剤を含有する第２剤を毛髪に塗布して、メルカプト基を酸化して新たな位置でジスルフィド結合を再形成させることによって毛髪にウェーブを形成するものである。
【０００３】
上記のようなロッドに毛髪を巻きつけて常温でウェーブ形成をする技術は、多くの熟練を必要とせず、広く一般の美容技術者に普及した技術となっている。しかしながら、上記のような従来のロッドを用い、常温でパーマネントウエーブ処理した場合の毛髪のウェーブ形状は充分に満足すべきものとはいえなかった。
【０００４】
そこで、毛髪を温度が６０〜２２０℃のウェーブ用ヘアアイロンのロッド部に巻き付けて加熱下でパーマネントウエーブ処理することが提案されている（例えば、特許文献１参照）。
【０００５】
【特許文献１】
特開２００２−３５６４０６号公報（第８頁および図１）
【０００６】
上記のように、温度が６０〜２２０℃のウェーブ用ヘアアイロンを用い、加熱下でパーマネントウエーブ処理した場合のウェーブ形状は、従来のロッドを用いて常温でパーマネントウエーブ処理した場合のウェーブ形状に比べて優れたものとなるが、この温度が６０〜２２０℃のウェーブ用ヘアアイロンを用いて加熱下でパーマネントウエーブ処理する場合、毛髪にパーマネントウエーブ用第１剤を塗布し、毛髪を軟化させた後、水洗し、充分に乾燥させなければ、ウェーブ形成後の毛髪に大きな損傷を与えるという問題があった。これは、乾燥していない状態の毛髪に高温状態で上記アイロンを接触させた場合、毛髪内部の水分が急激に膨張し、ウェーブ形成後の毛髪に大きな損傷を与えるからである。
【０００７】
さらに、ウェーブ用ヘアアイロンの場合、それ自体が高価になるため、直径の異なる多種類のウェーブ用ヘアアイロンを準備することが難しく、そのため、大きさの異なるウェーブを形成する場合でも、限られたウェーブ用ヘアアイロンでパーマネントウエーブ処理をしなければならず、そのため、ウェーブ用ヘアアイロンを用いて大きさの異なるウェーブを適切に形成するには熟練した技術を必要とし、未熟練の技術者では、適切なウェーブを形成することができないという問題があった。
【０００８】
【発明が解決しようとする課題】
本発明は、上記のような従来のパーマネントウエーブ処理方法の問題点を解決し、パーマネントウエーブ処理による毛髪の損傷が少なく、毛髪に強力なウェーブを付与することができ、しかも容易にパーマネントウエーブ処理を行い得るパーマネントウエーブ処理方法を提供することを目的とする。
【０００９】
【課題を解決するための手段】
本発明者らは、上記課題を解決するために鋭意研究を重ねた結果、通電により加熱可能なロッドを用い、毛髪にウェーブを付与するために下記の（１）〜（４）の工程
（１）毛髪に還元剤を含有するパーマネントウエーブ用第１剤を塗布し、５〜２０分間放置して毛髪を充分に軟化させた後、水洗する工程
（２）水洗後の毛髪の水分を軽く拭き取り、上記毛髪を通電により加熱可能なロッドに巻き付ける工程
（３）上記毛髪を巻き付けたロッドに通電してロッドを加熱し、８０〜１４０℃で１〜２０分間放置する工程
（４）上記ロッドに巻き付けた毛髪または上記通電により加熱可能なロッドから外した毛髪に、酸化剤を含有するパーマネントウエーブ用第２剤を塗布し、１〜１５分間放置した後、水洗し、乾燥する工程を経由してパーマネントウエーブ処理するときは、毛髪に損傷を与えず、かつ毛髪に強力なウェーブを付与し、しかも容易にパーマネントウエーブ処理を行うことができることを見出し、本発明を完成するにいたった。
【００１０】
すなわち、本発明によれば、毛髪を通電により加熱可能なロッドに巻き付けてから、該ロッドに通電してロッドとそれに巻き付けられた毛髪を加熱するので、従来のウェーブ用ヘアアイロンを用いてパーマネントウエーブ処理する場合のように、毛髪に急激に高熱（通常、１８０℃）がかかることなく、徐々に熱がかかるので、パーマネントウエーブ処理による毛髪の損傷が少ない。また、パーマネントウエーブ処理の一部を加熱状態で行うので、毛髪に強力なウェーブを付与することができる。しかも、通電により加熱可能なロッドがウェーブ用ヘアアイロンほどには高価でないので、各種直径のロッドを用意でき、未熟練の技術者でもパーマネントウエーブ処理を行うことができる。さらに、第１剤塗布後に水洗を行った際に、従来のウェーブ用ヘアアイロンを用いてパーマネントウエーブ処理する場合のように完全に乾燥する必要がなく、タオルドライ程度の軽い乾燥でよいので、乾燥に要する時間が少なくて済む。
【００１１】
【発明の実施の形態】
以下に本発明の実施形態について詳細に説明する。
本発明において用いる通電により加熱可能なロッドは、外周部が熱硬化性樹脂などの耐熱性材料で構成され、内部に加熱用ヒーターを内蔵し、その一端に外部電源に接続した引出しコードとの接続用端子が露出した状態で設けられていることを基本構成としている。
【００１２】
本発明において用いるパーマネントウエーブ用第１剤には還元剤を含有していることが必要であるが、この還元剤としては、例えば、チオグリコール酸やチオグリコール酸アンモニウムなどのチオグリコール酸塩類、システインやシステイン塩酸塩などのシステイン酸塩類、Ｎ−アセチルシステインやシステアミンなどのシステイン誘導体、チオグリセリルアルキルエーテル、メルカプトアルキルアミド、亜硫酸塩、亜硫酸水素塩などを用いることができる。
【００１３】
そして、上記還元剤はそれぞれ単独でまたは２種以上を組み合わせて用いることができるが、そのパーマネントウエーブ用第１剤中における含有量としては、２〜１１質量％であることが好ましく、特に４〜１１質量％であることが好ましい。そのパーマネントウエーブ用第１剤中における還元剤の含有量が２質量％より少ない場合は、毛髪を充分に軟化させることができず、還元剤の含有量が１１質量％より多い場合は、毛髪に大きな損傷を与え、毛先のチリつきやパサつきを引き起こすようになるおそれがある。
【００１４】
また、本発明において用いるパーマネントウエーブ用第１剤はｐＨが７〜１２に調整されていることが好ましく、そのためにアルカリ剤を添加するが、そのようなアルカリ剤としては、例えば、炭酸水素アンモニウム、アンモニア水、モノエタノールアミン、ジエタノールアミン、トリエタノールアミン、水酸化カリウム、水酸化ナトリウム、ホウ酸ナトリウム、炭酸ナトリウムなどを用いることができる。
【００１５】
本発明において用いるパーマネントウエーブ用第１剤において、そのｐＨが７〜１２であることを好ましいとするのは、ｐＨが７以上とでないと還元剤の還元作用が充分に発揮できず、また、パーマネントウエーブ用第１剤のｐＨが１２より高い場合は、毛髪が損傷を受け、毛先のチリつきやパサつきを引き起こすようになるからである。そして、このパーマネントウエーブ用第１剤のｐＨは８〜１１であることが特に好ましい。
【００１６】
本発明において用いるパーマネントウエーブ用第１剤は、上記のように還元剤を含有し、ｐＨが７〜１２に調整される以外には、カチオン性界面活性剤を含有していることが好ましい。
【００１７】
上記カチオン性界面活性剤としては、例えば、塩化ステアリルトリメチルアンモニウム、塩化セチルトリメチルアンモニウム、臭化ステアリルトリメチルアンモニウム、臭化セチルトリメチルアンモニウム、塩化ベヘニルトリメチルアンモニウム、塩化ラウリルトリメチルアンモニウム、臭化ラウリルトリメチルアンモニウム、塩化ジステアリルジメチルアンモニウム、塩化ジココイルジメチルアンモニウム、塩化ミリスチルジメチルベンジルアンモニウム、塩化ステアリルジメチルベンジルアンモニウム、エチル硫酸ラノリン脂肪酸アミドプロピルエチルジメチルアンモニウム、ステアリン酸ジメチルアミノプロピルアミドなどが挙げられ、なかでも塩化ステアリルトリメチルアンモニウム、塩化ステアリルセチルアンモニウムが好ましい。
【００１８】
上記カチオン性界面活性剤のパーマネントウエーブ用第１剤における含有量としては、０．１〜１５質量％が好ましく、特に１〜１０質量％が好ましい。パーマネントウエーブ用第１剤中におけるカチオン性界面活性剤の含有量が０．１質量％より少ない場合は、毛髪に柔軟性や良好な指通り性を付与することができなくなるおそれがあり、カチオン性界面活性剤の含有量が１５質量％より多い場合は、製剤化することが困難になるだけでなく、強いウェーブを形成するのを妨げるおそれがある。
【００１９】
本発明のパーマネントウエーブ用第１剤は、上記成分を水または水を主剤とする水性液中に溶解または分散を分散させることによって調製される。その際、必要に応じて、例えば、セタノール、ステアリルアルコールなどの高級アルコール、アボガド油、シアバターのような植物油脂、ミンク油、卵黄油などの動物油脂、マッコウ鯨油、ミツロウ、ラノリンなどの動物性ロウ、ホホバ油などの植物油ロウ、モンタンロウなどの鉱物性固体ロウ、パラフィン、ポリエチレン、ワセリンなどの炭化水素、オレイン酸などの高級脂肪酸、ミリスチン酸イソプロピルなどのエステル類、パーフルオロポリエーテルなどのフッ素オイル、ジメチルポリシロキサン、環状シロキサン、メチルフェニルポリシロキサン、メチルポリシロキサン、ポリエーテル変性シリコーン、アミノ変性シリコーンなどのシリコーンオイル、ジチオグリコール酸またはその塩類などのような反応調整剤、アニオン性界面活性剤、ノニオン性界面活性剤などの各種界面活性剤、カルボキシメチルセルロースまたはその塩、プルランまたはその誘導体、カラギーナン、キサンタンガム、各種アルキロールアミドなどの増粘剤、プロピレングリコール、１，３−ブチレングリコール、グリセリンなどの湿潤剤、コラーゲン、ケラチン、絹、大豆タンパク、小麦タンパクなどの動植物由来のタンパク質の加水分解物やその誘導体、防腐剤、安定剤、抗炎症剤、着色剤、キレート剤、香料などを適宜含有させることができる。
【００２０】
そして、本発明のパーマネントウエーブ用第１剤は、ジェル状、クリーム状など、いずれの剤型もとり得ることができ、剤型に関して特に限定されることはない。
【００２１】
一方、本発明において用いるパーマネントウエーブ用第２剤には酸化剤を含有していることが必要であるが、その酸化剤としては、例えば、臭素酸カリウム、臭素酸ナトリウム、過ホウ酸ナトリウム、過酸化水素などが挙げられる。
【００２２】
上記酸化剤はそれぞれ単独または２種以上を組み合わせて用いることができるが、そのパーマネントウエーブ用第２剤中における含有量としては、１〜２０質量％が好ましく、特に２〜１２質量％が好ましい。パーマネントウエーブ用第２剤中における酸化剤の含有量が１質量％より少ない場合は毛髪に充分なウェーブを付与することができず、酸化剤の含有量が２０質量％より多い場合は、毛髪が損傷を受け、毛先のチリつきやパサつきを引き起こすようになる。
【００２３】
本発明において用いるパーマネントウエーブ用第２剤は、上記成分を水また水を主剤とする水性液中に溶解または分散を分散させることによって調製される。その際、必要に応じて、例えば、セタノール、ステアリルアルコールなどの高級アルコール、アボガド油、シアバターのような植物油脂、ミンク油、卵黄油などの動物油脂、マッコウ鯨油、ミツロウ、ラノリンなどの動物性ロウ、ホホバ油などの植物油ロウ、モンタンロウなどの鉱物性固体ロウ、パラフィン、ポリエチレン、ワセリンなどの炭化水素、オレイン酸などの高級脂肪酸、ミリスチン酸イソプロピルなどのエステル類、パーフルオロポリエーテルなどのフッ素オイル、ジメチルポリシロキサン、環状シロキサン、メチルフェニルポリシロキサン、メチルポリシロキサン、ポリエーテル変性シリコーン、アミノ変性シリコーンなどのシリコーンオイル、アニオン性界面活性剤、ノニオン性界面活性剤などの各種界面活性剤、カルボキシメチルセルロースまたはその塩、プルランまたはその誘導体、カラギーナン、キサンタンガム、各種アルキロールアミドなどの増粘剤、プロピレングリコール、１，３−ブチレングリコール、グリセリンなどの湿潤剤、コラーゲン、ケラチン、絹、大豆タンパク、小麦タンパクなどの動植物由来のタンパク質の加水分解物やその誘導体、防腐剤、安定剤、抗炎症剤、着色剤、キレート剤、香料などを適宜含有させることができる。
【００２４】
そして、本発明において用いるパーマネントウエーブ用第２剤は液状であることを必要とし、その粘度は１，０００ｍＰａ・ｓ以下であることが好ましく、特に１００ｍＰａ・ｓ以下であることが好ましい。これは、粘度が１，０００ｍＰａ・ｓより高くなると、毛髪を通電により加熱可能なロッドから取り外した後、毛髪にパーマネントウエーブ用第２剤を塗布した時に、パーマネントウエーブ用第２剤が毛髪上に過剰に残留して、形成されたウェーブを伸びさせてしまうからである。なお、本発明において、粘度は２５℃にてＢ型回転粘度計で、ローターＮｏ．２を用い、１２ｒｐｍ、１分間回転させた後に測定したものをいい、本発明において、「液状」とは、上記粘度が１，０００ｍＰａ・ｓ以下の状態をいう。
【００２５】
つぎに、本発明の通電により加熱可能なロッドを用いたパーマネントウエーブ処理の工程の一例を説明する。
【００２６】
（１）まず、毛髪にパーマネントウエーブ用第１剤を塗布し、毛髪の損傷度合いを考慮して５〜２０分間放置した後、毛髪を充分に軟化させた後、水洗する。
（２）つぎに、水洗後の毛髪の水分を軽く拭き取る（好ましくは適度にタオルドライした程度にする）。この状態（つまり、上記パーマネントウエーブ用第１剤が毛髪の組織中に浸透した状態）で上記毛髪を通電により加熱可能なロッドに巻き付ける。
（３）この毛髪を巻き付けたロッドに通電し、ロッドを加熱し、１〜２０分間放置する。
（４）上記ロッドに巻き付けた毛髪または上記ロッドから外したウェーブが形成されている毛髪に液体のパーマネントウエーブ用第２剤を塗布し、１〜１５分間放置した後、水洗し、乾燥する。
【００２７】
【発明の効果】
本発明によれば、パーマネントウエーブ処理による毛髪の損傷が少なく、毛髪に強力なウェーブを付与することができ、しかも毛髪に対して容易にパーマネントウエーブ処理を行うことができる。
【００２８】
【実施例】
つぎに、実施例を挙げて本発明をより具体的に説明する。ただし、本発明はこれらの実施例のみに限定されるものではない。なお、以下の実施例などにおいて、溶液または分散液の濃度を示す％は質量％である。
【００２９】
実施例１
この実施例１で用いるパーマネントウエーブ用第１剤の組成を表１に示し、パーマネントウエーブ用第２剤の組成を表２に示す。
【００３０】
上記パーマネントウエーブ用第１剤や第２剤の調製にあたって、各成分の配合量を示す数値は質量部によるものであり、また、パーマネントウエーブ用第１剤はｐＨ９．  １に調整し、パーマネントウエーブ用第２剤はｐＨが７．  ０で粘度が７０ｍＰａ・ｓ（２５℃）に調整した。
【００３１】
【表１】
2004262798.tif 000002
【００３２】
【表２】
2004262798.tif 000003
【００３３】
パーマネントウエーブ処理にあたっては、試験用毛束として健康毛で長さ２３ｃｍ、重さ０．８ｇの毛束を作製し、この毛束をあらかじめ５％ポリオキシエチレン（９）ラウリルエーテル水溶液で洗浄、乾燥しておいた。そして、この実施例１で用いる通電により加熱可能なロッドとしては、外周部が耐熱性材料で構成され、内部に加熱用ヒーターを内蔵し、その一端に外部電源に接続した引出しコードとの接続用端子が露出した状態で設けられていて、通電により加熱が可能になっているロッドであって、外径が２０ｍｍものを用いた。
【００３４】
そして、パーマネントウエーブ処理は、次に示すように行った。まず、前記健康毛で作製した毛束に前記パーマネントウエーブ用第１剤を３ｍｌ塗布し、１５分間放置して毛髪を充分に軟化させた後、水洗した。
【００３５】
つぎに、上記水洗後の毛束を構成する毛髪の水分をタオルで軽く拭き取り、上記毛束を前記通電により加熱可能なロッドに巻き付けた（約３回巻き付ける）。
【００３６】
ついで、上記毛束を巻き付けたロッドに通電してロッドを１分間で９０℃まで加熱し、その状態で１０分間放置した。第１剤塗布後から、この通電による加熱状態での放置時間を含めたトータル時間は３０分間であった。
【００３７】
つぎに、上記毛束をロッドから外した後、該毛束に前記パーマネントウエーブ用第２剤を３ｍｌ塗布し、１０分間放置した後、再び水洗し、乾燥してパーマネントウエーブ処理を終了した。
【００３８】
比較例１
実施例１と同様のパーマネントウエーブ用第１剤、パーマネントウエーブ用第２剤および健康毛で作製した毛束を用い、次に示すようにパーマネントウエーブ処理を行った。なお、上記パーマネントウエーブ処理にあたっては、通常のロッド、つまり、直径２０ｍｍで加熱できないプラスチック製のロッドを用いた。
【００３９】
まず、前記健康毛で作製した毛束に実施例１と同様のパーマネントウエーブ用第１剤を３ｍｌ塗布し、上記プラスチック製ロッドに巻き付け（約３回巻き付ける）た後、上記毛束を１５分間放置して毛髪を充分に軟化させた後、水洗した。
【００４０】
つぎに、上記水洗後の毛束を構成する毛髪の水分をタオルで軽く拭き取った後、上記毛束に実施例１と同様のパーマネントウエーブ用第２剤を３ｍｌ塗布し、１０分間放置した。第１剤塗布後から、このロッドに巻き付け後の放置時間を含めたトータル時間は３０分間であった。
【００４１】
比較例２
実施例１と同様のパーマネントウエーブ用第１剤、パーマネントウエーブ用第２剤および健康毛で作製した毛束を用い、次に示すようにパーマネントウエーブ処理を行った。なお、上記パーマネントウエーブ処理にあたっては、下記構成のウェーブ用ヘアアイロンを用いた。
【００４２】
このウェーブ用ヘアアイロンについては、本出願人による特開２００２−３５６４０８号公報に詳しく記載しているが、その主構成部材について概略を示すと、このウェーブ用ヘアアイロンは、握り部と、電熱ヒータを備えたロッド部と、前記握り部とロッド部との間に位置する中央部とを有する本体と、前記本体のロッド部に対向する押え部と、レバー部と、そのレバー部と押え部との間に位置し、本体の中央部と係合する支点部とを有する押え部材とからなり、握り部が筒状になっていてロッド部と中央部が回転できるように構成されていることを特徴としている。
【００４３】
そして、本体のロッド部の上面側部分（この部分が押え部材の押え部と対向する）は凸面で均一な曲面に形成されているが、そのロッド部の下面側部分には複数のリブが形成されている。一方、押え部材の押え部は、そのロッド部への対向側部分が凹面に形成され、ロッド部に巻き付けた毛髪を押さえることができ、その上面には複数のリブが形成されている。
【００４４】
そして、パーマネントウエーブ処理は、次に示すように行った。まず、前記健康毛で作製した毛束に前記パーマネントウエーブ用第１剤を３ｍｌ塗布し、１５分間放置して毛髪を充分に軟化させた後、水洗した。
【００４５】
つぎに、上記水洗後の毛髪の水分をタオルで軽く拭き取り、上記毛束を１８０℃に加熱されたウェーブ用ヘアアイロンのロッド部に巻き付け（約３回巻き付ける）、レバー部の後端部を引き上げ、押え部の先端部を下げてロッド部に巻き付けた毛髪を押え部で押さえて、上記毛束を２０秒間加熱処理した。第１剤塗布後から、このウェーブ用ヘアアイロンでの加熱が終了するまでのトータル時間は約１８分間であった。
【００４６】
つぎに、上記毛束をウェーブ用ヘアアイロンから外した後、該毛束に前記パーマネントウエーブ用第２剤を３ｍｌ塗布し、１０分間放置した後、再び水洗し、乾燥してパーマネントウエーブ処理を終了した。
【００４７】
上記実施例１および比較例１〜２でパーマネントウエーブ処理した毛髪の感触について２０名のパネラーに手触りで評価させ、下記の評価基準により、その評価結果を評点化させた。その結果を２０名の平均値で後記の表１に示す。なお、上記の評価基準より明らかなように、評価点が高いほど、感触が優れていることを示している。
【００４８】
評価基準（未処理毛と比較して）
同等                                          ・・・５点
少しパサついている                            ・・・４点
パサついている                                ・・・３点
毛先が少しチリつき、パサつきもある            ・・・２点
毛先がチリつき、パサつきも強い                ・・・１点
【００４９】
また、上記実施例１および比較例１〜２でパーマネントウエーブ処理後の毛束を荷重をかけずに吊り下げて、１時間経過後の状態を図１、図２および図３に模式的に示すとともに、その長さ（垂直長さ）を測定した。その結果を表１に示す。なお、図１は実施例１でパーマネントウエーブ処理した毛束を模式的に示すものであり、図２は比較例１でパーマネントウエーブ処理した毛束を模式的に示すものであり、図３は比較例２でパーマネントウエーブ処理した毛束を模式的に示すものである。
【００５０】
【表３】
2004262798.tif 000004
【００５１】
表１に示すように、実施例１でパーマネントウエーブ処理した毛髪は、感触の評価点が高く、パーマネントウエーブ処理による毛髪の損傷が少ないことを示しており、また、その毛束の長さが短く、毛髪に強力なウェーブを付与することができることを示していた。
【００５２】
これに対して、従来のロッド（つまり、加熱できないロッド）を用いた比較例１でパーマネントウエーブ処理した毛髪は、表１に示すように、感触の評価点が高く、パーマネントウエーブ処理による毛髪の損傷は少ないものの、その毛束の長さが実施例１でパーマネントウエーブ処理した毛髪に比べて長く、毛髪へのウェーブの付与が充分でないことを示していた。
【００５３】
また、ウェーブ用ヘアアイロンを用いた比較例２でパーマネントウエーブ処理した毛髪は、表１に示すように、その毛束の長さが短く、毛髪に強力なウェーブを付与することができるものの、感触の評価点が低く、パーマネントウエーブ処理による毛髪の損傷が大きいことを示していた。
【図面の簡単な説明】
【図１】実施例１でパーマネントウエーブ処理した毛束を毛先側を下にして荷重をかけずに１時間吊り下げた後の状態を模式的に示す図である。
【図２】比較例１でパーマネントウエーブ処理した毛束を毛先側を下にして荷重をかけずに１時間吊り下げた後の状態を模式的に示す図である。
【図３】比較例２でパーマネントウエーブ処理した毛束を毛先側を下にして荷重をかけずに１時間吊り下げた後の状態を模式的に示す図である。
【図１】
2004262798.tif 000005
【図２】
2004262798.tif 000006
【図３】
2004262798.tif 000007